(57)【要約】【課題】至近距離にある被写体をより適切に撮像することができる撮像機能を有する携帯電話機を提供する。【解決手段】マクロ撮影モードが設定されている際に、送受信部２８が外部からの送信を受け付けた場合、制御部２０は、ＬＥＤ２２ａ及び液晶ディスプレイ２１のバックライトを点灯させないように制御する。これらを点灯させると、近接距離にある被写体から反射光が戻り、撮像素子４０の適切な露光を妨げる恐れがあるからである。【選択図】    図１
2004222037.tif 000002
【特許請求の範囲】
【請求項１】
光学系と、
前記光学系を介して結像された光学像を画像信号に変換する撮像素子と、
撮影モードを設定するモード設定手段と、
受信装置と、
前記受信装置に連動して着信を知らせるために点灯するランプと、を有する携帯電話機において、
前記モード設定手段により、近接した被写体を撮影するマクロ撮影モードが設定された場合、前記ランプの点灯を禁止することを特徴とする撮像機能を備えた携帯電話機。
【請求項２】
光学系と、
前記光学系を介して結像された光学像を画像信号に変換する撮像素子と、
撮影モードを設定するモード設定手段と、
受信装置と、
前記受信装置に連動して着信を知らせるために点灯するランプと、を有する携帯電話機において、
前記モード設定手段により、近接した被写体を撮影するマクロ撮影モードが設定された場合、前記受信装置の受信動作を禁止することを特徴とする撮像機能を備えた携帯電話機。
【請求項３】
前記モード設定手段は、操作部材の操作に応じて前記マクロ撮影モードを設定することを特徴とする請求項１又は２に記載の携帯電話機。
【請求項４】
前記携帯電話機の本体に対し伸縮自在となっているアンテナを有し、前記アンテナを所定位置に引き出したことに応じて、前記モード設定手段は前記マクロ撮影モードを設定することを特徴とする請求項３に記載の携帯電話機。
【請求項５】
前記モード設定手段は、前記携帯電話機が所定の形態に変化したときに前記マクロ撮影モードを設定することを特徴とする請求項１又は２に記載の携帯電話機。
【請求項６】
前記携帯電話機の本体に対し、前記光学系及び前記撮像素子が移動可能に配置されており、前記光学系及び前記撮像素子が所定位置に移動したときに、前記モード設定手段は前記マクロ撮影モードを設定することを特徴とする請求項５に記載の携帯電話機。
【発明の詳細な説明】
【０００１】
【発明の属する技術分野】
本発明は、携帯電話機に関し、特に撮像機能を備えた携帯電話機に関する。
【０００２】
【従来の技術】
近年、携帯電話機の需要が増大しているが、ユーザーのニーズに応えるべく、より多機能な携帯電話機も登場している。その一タイプとして、ＭＣＵと呼ばれる小型の撮像装置を搭載した携帯電話機がある。かかるタイプの携帯電話機によれば、パソコンなどを用いることなく、被写体を撮像した後、直ちにその画像信号を相手先に手軽に送信できるという特徴があり、ビジネスユース或いはプライベートユースにおいて広範囲に利用されることが期待されている。
【０００３】
ところで、携帯電話機に搭載されている液晶ディスプレイは、携帯性を重視するために小型なものが通常用いられている。従って、小さな被写体を撮像して送信しようとした場合、離れて撮影した画像を送っても、相手方で認識不能な場合もありえる。このような問題に対し、至近距離の被写体をマクロ撮像できる携帯電話端末も知られている（特許文献１、２参照）。
【特許文献１】
特開２０００−３５８２２５号公報
【特許文献２】
特開２００２−１０７６１２号公報
【０００４】
【発明が解決しようとする課題】
ところで、携帯電話機には、着信を視覚を通じてユーザーに知らせるランプが設けられているが、着信がいつあるかは予測不能であるから、ユーザーが撮像中に着信がある場合もあり得る。ここで、着信ランプはＬＥＤなど比較的低光量の光源であるので、ユーザーが比較的遠方の被写体を撮像しようとしている場合、着信によりランプが点灯した場合でも、それにより撮像時の露光に影響を与える恐れは低い。ところが、至近距離の被写体を撮影している場合、たとえＬＥＤなど比較的低光量の光源が発光しても、その光が被写体から反射して撮像時の露光に影響を与える恐れがある。
【０００５】
本発明は、かかる問題点に鑑みてなされたものであり、至近距離にある被写体をより適切に撮像することができる撮像機能を有する携帯電話機を提供することを目的とする。
【０００６】
【課題を解決するための手段】
第１の本発明の撮像機能を有する携帯電話機は、光学系と、前記光学系を介して結像された光学像を画像信号に変換する撮像素子と、撮影モードを設定するモード設定手段と、受信装置と、前記受信装置に連動して着信を知らせるために点灯するランプと、を有する携帯電話機において、前記モード設定手段により、近接した被写体を撮影するマクロ撮影モードが設定された場合、前記ランプの点灯を禁止するので、たとえ前記マクロ撮影モードで撮像を行っている際に、着信があったとしても、露出に与える影響を阻止できる。尚、着信を知らせるために点灯するランプとは、携帯電話機の本体、アンテナ等に装着されたＬＥＤの他、液晶ディスプレイのバックライトも含む。又、マクロ撮影モードとは、例えば５〜２５ｃｍの被写体距離に存在する被写体に対してピントを合わせることができる撮影モードをいうものとする。
【０００７】
第２の本発明の撮像機能を有する携帯電話機は、光学系と、前記光学系を介して結像された光学像を画像信号に変換する撮像素子と、撮影モードを設定するモード設定手段と、受信装置と、前記受信装置に連動して着信を知らせるために点灯するランプと、を有する携帯電話機において、前記モード設定手段により、近接した被写体を撮影するマクロ撮影モードが設定された場合、前記受信装置の受信動作を禁止するので、たとえ前記マクロ撮影モードで撮像を行っている際に、その携帯電話機に対して送信が行われたときでも、前記受信装置が応答しないので、露出に与える影響を阻止できる。
【０００８】
更に、前記モード設定手段は、操作部材の操作に応じて前記マクロ撮影モードを設定すると、ユーザーの意思によりモード設定ができるので好ましい。
【０００９】
又、前記携帯電話機の本体に対し伸縮自在となっているアンテナを有し、前記アンテナを所定位置に引き出したことに応じて、前記モード設定手段は前記マクロ撮影モードを設定すると好ましい。
【００１０】
更に、前記モード設定手段は、前記携帯電話機が所定の形態に変化したときに前記マクロ撮影モードを設定すると、例えば近接する被写体を撮影するのに適した状態になったとき、自動的に前記マクロ撮影モードの設定が可能となるようにできるのでユーザーの手間がかからず便利である。
【００１１】
又、前記携帯電話機の本体に対し、前記光学系及び前記撮像素子が移動可能に配置されており、前記光学系及び前記撮像素子が所定位置に移動したときに、前記モード設定手段は前記マクロ撮影モードを設定すると好ましい。
【００１２】
【発明の実施の形態】
以下、本発明の実施の形態につき、図面を参照して説明する。図１は、本実施の形態にかかる撮像機能を有する携帯電話機の斜視図である。
【００１３】
携帯電話機１は、折り畳み可能に構成された本体部２と、カメラユニット３とを備えている。本体部２は、操作スイッチ２３ｂ（後述するマクロ撮影モードでの撮影に切替えるための操作部材であるモード設定ボタン２３ａを含む）が設けられた操作部２ａと、操作部２ａに対して枢動可能となっており、液晶ディスプレイ２１が設けられたモニタ部２ｂとから構成されている。モニタ部２ｂの頂面には、先端にＬＥＤ２２ａを取り付けたアンテナ２２が伸縮自在に取り付けられている。
【００１４】
カメラユニット３は、円筒状の形状を有し撮影窓３０ａを備えたハウジング３０と、後述する光学系及びＣＣＤなどの撮像素子を有しており、通常はモニタ部２ｂとは一体で枢動するが、独立しても操作部２ａに対して枢動可能となっている。更にカメラユニット３は、ハウジング３０の軸線に対して回転自在に構成されている。すなわち、カメラユニット３を図１に示す状態にすれば、レリーズ動作を行うユーザー自身を撮像することができ、カメラユニット３をハウジング３０の軸線周りに１８０度回転させれば、携帯電話機１の裏面側の被写体を撮像できる。
【００１５】
図２は、カメラユニット３内の主要な構成要素を示す側面図である。図２において、ハウジング３０内の撮影窓３０ａに正対する位置に、基板ＰＣを介してＣＣＤ又はＣＭＯＳからなる撮像素子４０が取り付けられている。基板ＰＣにおいて、撮像素子４０の上方には、圧電素子４１が配置され、更に、圧電素子４１の端面に接続するガイド軸４２と、ガイド軸４２に沿って移動可能なスライダ４３と、スライダ４３に支持される第１レンズ４４とが設けられており、撮像素子４０の下方には、圧電素子４５が配置され、更に、圧電素子４５の端面に接続するガイド軸４６と、ガイド軸４６に沿って移動可能なスライダ４７と、スライダ４７に支持される第２レンズ４８とが設けられている。尚、第１レンズ４４と第２レンズ４８とで光学系を構成する。
【００１６】
圧電素子４１、４５は、積層圧電セラミックス等によって構成され、外部からの電圧の印加によって光軸ＬＴの方向に伸縮動作を行う電動のアクチュエータとして機能する。これにより、ガイド軸４２、４６は圧電素子４１、４５の伸縮動作に伴ってその長手方向である光軸ＬＴ方向に加振されることになる。
【００１７】
ガイド軸４２、４６は、光軸ＬＴ方向に伸びた角棒状の部材となっており、長手方向に着磁パターン（図示せず）が埋め込まれている。
【００１８】
スライダ４３、４７は、ガイド軸４２、４６を方向Ｓａ、Ｓｂに摺動可能に構成されているとともに、上記の着磁パターンに対応する箇所に磁気抵抗素子（図示せず）が埋め込まれている。この磁気抵抗素子と、ガイド軸４２、４６の着磁パターンとの組合せにより、ガイド軸４２、４６に対するスライダ４３、４７、すなわち第１レンズ４３および第２レンズ４８の位置を検出できる。
【００１９】
また、スライダ４３、４７は、ガイド軸４２、４６の周囲を覆う形状を有し、ガイド軸４２、４６との接触面で一定の摩擦力が生じるようになっている。
【００２０】
第１レンズ４４と第２レンズ４８とは、凹レンズと凸レンズとの組合せとなっており、合焦のためのフォーカスレンズと、撮影倍率を変更するためのズームレンズとして機能する。そして、第１レンズ４４と第２レンズ４８とは、一方が前方移動を行い他方が後方移動を行うことによって、撮像素子４０において被写体像を結像させるレンズユニットとして働き、又これを利用し合焦動作も適宜可能となる。
【００２１】
このような構成の撮像部４において、ガイド軸４２、４６に対して圧電素子４１、４５が停止または緩やかな伸縮動作を行う場合には、スライダ４３、４７に対して摩擦力以上の力が作用しないため、ガイド軸４２、４６に対するスライダ４３、４７の位置は変化しない。これに対して、圧電素子４１、４５が瞬時に伸縮動作を行う場合には、スライダ４３、４７に対して摩擦力以上の慣性力が作用するのでガイド軸４２、４６に対するスライダ４３、４７の位置は圧電素子４１、４５の伸縮方向とは逆方向に移動することとなる。これにより、第１レンズ４４および第２レンズ４８を駆動できるとともに、各レンズ４４、４８の位置をコントロールすることにより、撮影倍率の変更および合焦動作が行え、後述するマクロ撮影が可能となる。
【００２２】
図３は、携帯電話機１の機能ブロックを示す図である。携帯電話機１は、上記の液晶ディスプレイ２１と、モード設定ボタン２３ａやズームボタンを含むスイッチ群２３ｂを備えた操作部２ａに接続する制御部２０と、制御部２０に電気的に接続する信号処理部２５と、画像メモリ２６と、通話部２７と、送受信部２８と、電源２９とを有している。
【００２３】
信号処理部２５は、撮像素子４０から出力されるアナログ画像信号をデジタル信号に変換するとともに、γ補正などの画像処理を行う。画像メモリ２６は、撮像素子４０によって取得され、信号処理部２５によって画像処理された画像データを記憶する部位である。通話部２７は、マイクおよびスピーカを有しており、相手との通話が可能となるように構成されている。送受信部（受信装置）２８は、アンテナを有し、音声および画像データの無線通信を行うためのインターフェイスとして機能する。電源２９は、小型のバッテリーを有し、制御部２０と、制御部２０を介して各部とに電力を供給する。制御部２０は、ＣＰＵ２０１およびメモリ２０２を有しており、上記の各部を有機的に制御して携帯電話機１の動作を統括制御する。又、制御部２０は、送受信部２８を介して外部からの受信を受け付け、それに応じてＬＥＤ２２ａを点灯させ、且つ液晶ディスプレイ２１のバックライトを点灯させるようになっている。
【００２４】
また、携帯電話機１のカメラユニット３は、圧電素子４１を有し第１レンズ４４を駆動する第１駆動部３４と、圧電素子４５を有し第２レンズ４８を駆動する第２駆動部３５とを備えている。
【００２５】
ユーザーが、モード設定ボタン２３ａを押すことで、モード設定手段である制御部２０が通常撮影モードとマクロ撮影モードとを設定可能となっている。マクロ撮影モードが設定された場合、至近距離、例えば被写体までの距離が５〜２５ｃｍ程度以下となる条件での撮影が可能なマクロ撮影モードに切替えられるが、このマクロ撮影について、以下に説明する。
【００２６】
図４は、撮影時における各レンズ４４、４８の動作を説明する図である。図４では、第１レンズ４４および第２レンズ４８と、撮像素子４０との位置関係を示している。
【００２７】
マクロ撮影モードに切替えられると、例えば図４（ａ）に示すような第１レンズ４４および第２レンズ４８の位置関係から、各レンズ４４、４８が移動し、図４（ｂ）に示すようなレンズ構成に変更される。図４（ｂ）においては、破線で示すレンズ位置Ｍ１に第１レンズ４４が移動された後、実線で示すレンズ位置Ｍ２に第１レンズ４４が移動され、マクロ撮影モードのレンズ構成となる。
【００２８】
この第１レンズ４４の位置Ｍ１は、第２レンズ４８との組合わせで、通常の撮影において最大撮影倍率となる撮影位置である。この位置関係では至近距離の被写体にピントが合わないため、第１レンズ４４を被写体方向の位置Ｍ２に移動させる。この通常撮影と異なる位置Ｍ２に第１レンズ４４が移動することによって、至近距離の被写体にピントが合うこととなる。
【００２９】
撮影倍率は、第２レンズ４８から撮像素子４０における焦点面に結像する光の角度βｍに依存することとなるが、本実施形態のカメラユニット３においては、マクロ撮影の際、第２レンズ４８と撮像素子４０との距離、換言すれば角度βｍを一定に保持するため、所定のマクロ撮像倍率を保持してマクロ撮影が行えることなる。かかる状態で、不図示のレリーズボタン（２３ｂのいずれか）を操作することで、制御部２０の制御下で、撮像素子４０が結像した光学像を電気信号に変換し、所定の処理を行った上で画像信号としてメモリ２０２内に記憶するようになっている。
【００３０】
一方、通常撮影モードが設定された場合、上述のようにして、レンズ４４，４８は、距離が６０ｃｍ〜３ｍ程度の位置に存在する被写体に対してピントが合う位置へと移動するようになる。
【００３１】
ここで、マクロ撮影モードが設定されている際に、送受信部２８が外部からの送信を受け付けた場合、制御部２０は、ＬＥＤ２２ａ及び液晶ディスプレイ２１のバックライトを点灯させないように制御する。これらを点灯させると、近接距離にある被写体から反射光が戻り、撮像素子４０の適切な露光を妨げる恐れがあるからである。これに対し、通常撮影モードであれば、被写体は６０ｃｍ〜３ｍ程度離れていると考えられるため、ＬＥＤ２２ａ及び液晶ディスプレイ２１のバックライトを点灯させても、撮像素子４０の露光に与える影響は殆ど無視できるので、それらの点灯を許容する。但し、通常撮影モード時でも、ＬＥＤ２２ａ及び液晶ディスプレイ２１のバックライトの点灯を禁止しても良い。
【００３２】
本実施の形態の変形例としては、制御部２０は、マクロ撮影モードが設定されている際に、送受信部２８に外部からの送信を受け付けないように制御することもできる。かかる場合、当然にＬＥＤ２２ａ及び液晶ディスプレイ２１のバックライトは点灯されないので、上述と同様の効果を得ることができる。この際、制御部２０は、送受信部２８を介して、送信してきた相手に「ただいま撮像中ですので、しばらくお待ち下さい」等の音声メッセージもしくはメール送信を行うようにしても良い。
【００３３】
ところで、マクロ撮影は特殊な撮影であるので、ユーザーがモード設定ボタン２３ａを操作することなく、携帯電話機１を所定の形態に変化させることで、自動的にマクロ撮影モードが設定されるようにしても良い。
【００３４】
図５は、携帯電話機１のマクロ撮影を行う際の形態を示す斜視図である。図５に示すように、携帯電話機１の本体２（操作部２ａ、モニタ部２ｂ）を角度を付けて広げつつ側面を接地させ、且つカメラユニット３を操作部２ａ及びモニタ部２ｂの間に枢動させて、更にハウジング３０の軸線に対して９０度回転させる。それにより撮影窓３０ａが携帯電話機１の接地面を向くので、かかる接地面に被写体ＯＢをおくと、手振れなく被写体ＯＢの撮影が可能となる。
【００３５】
このように、図５に示す状態で撮像を行う場合には、マクロ撮影モードしか考えられないことから、カメラユニット３が図５に示す形態に変化したことを検出して、ユーザーの操作に関わりなく、自動的にマクロ撮影モードを設定することができる。この場合、カメラユニット３の枢動部位に、機械的なスイッチからなる検知部３６（図３参照）を設けることで対処可能である。
【００３６】
但し、自動的にマクロ撮影モードが設定される状態としては、これ以外にも、図６に示す例が考えられる。図６（ａ）に示す例では、撮像素子４０は、枢動可能な操作部２ａとモニタ部２ｂとの間に設けられている。約９０度の角度を付けられた操作部２ａの下縁とモニタ部２ｂの上縁とを接地させることで、撮像素子４０が接地面に正対するようになるので、この形態になったとき、制御部２０は自動的にマクロ撮影モードを設定してもよい。この場合、操作部２ａとモニタ部２ｂとの枢動角度を検出するセンサと、操作部２ａの下縁とモニタ部２ｂの上縁に接地を検出するセンサを設けることなどが必要となる。
【００３７】
図６（ｂ）に示す例では、操作部２ａとモニタ部２ｂとが球状の関節で連結され、折り畳むことの他にねじることができるようになっており、撮像素子４０は、モニタ部２ｂ内に設けられている。図６（ｂ）に示すように、モニタ部２ｂを約９０度の角度でねじりつつ操作部２ａの側面を接地させることで、撮像素子４０が接地面に正対するようになるので、この形態になったとき、制御部２０は自動的にマクロ撮影モードを設定してもよい。この場合、操作部２ａとモニタ部２ｂとのねじり角度を検出するセンサと、操作部２ａの側面に接地を検出するセンサを設けることなどが必要となる。
【００３８】
更に、別な変形例としては、図１に点線で示すように、携帯電話機１の頂面に正対するようにして、モニタ部２ｂ内に撮像素子４０を収容し、且つアンテナ２２にマクロ撮影を示す目盛りとセンサを設けることも考えられる。マクロ撮影を行いたいユーザーは、アンテナ２２をその目盛りまで引き出す（クリック機構を内蔵し、その状態で保持されることが望ましい）ことで、マクロ撮影モードが自動的に設定される。被写体にアンテナ２２の先端を押し付け、レリーズボタンを押すことで、その被写体に対してマクロ撮影が行われる。
【００３９】
以上、本発明を実施の形態を参照して説明してきたが、本発明は上記実施の形態に限定して解釈されるべきではなく、適宜変更・改良が可能であることはもちろんである。
【００４０】
【発明の効果】
本発明によれば、至近距離にある被写体をより適切に撮像することができる撮像機能を有する携帯電話機を提供することができる。
【図面の簡単な説明】
【図１】本実施の形態にかかる撮像機能を有する携帯電話機の斜視図である。
【図２】カメラユニット３内の主要な構成要素を示す側面図である。
【図３】携帯電話機１の機能ブロックを示す図である。
【図４】撮影時における各レンズ４４、４８の動作を説明する図である。
【図５】携帯電話機１のマクロ撮影を行う際の形態を示す斜視図である。
【図６】別な例の携帯電話機１のマクロ撮影を行う際の形態を示す斜視図である。
【符号の説明】
１  携帯電話機
２ａ  操作部
２ｂ  モニタ部
３  カメラユニット
２１  液晶ディスプレイ
２２  アンテナ
２２ａ  ＬＥＤ
４０  撮像素子
４４，４８  レンズ
【図１】
2004222037.tif 000003
【図２】
2004222037.tif 000004
【図３】
2004222037.tif 000005
【図４】
2004222037.tif 000006
【図５】
2004222037.tif 000007
【図６】
2004222037.tif 000008